(57)【特許請求の範囲】
【請求項１】
レンズのバックフォーカスに基づいて該レンズから撮像素子までの距離を調整するバックフォーカス調整機構において、
上記レンズが前方部に固定されるマウント手段と、
上記マウント手段の後方部に固定される基部手段と、
上記レンズの光軸上に上記撮像素子が位置するように該撮像素子を保持すると共に該光軸に沿う方向に移動可能な状態に上記基部手段の後方部に取り付けられる保持手段と、
を具備し、
上記基部手段は上記マウント手段の後方から固定され、
上記保持手段は上記基部手段の後方から取り付けられ、さらに、
上記マウント手段と上記基部手段との間に介在し上記光軸を中心として回動可能な回動手段と、
上記保持手段を上記基部手段に向けて付勢する付勢手段と、
を具備し、
上記回動手段はその後方部から上記光軸に沿う方向に突出する突出部を有し、
上記基部手段はその前方部側から後方部側に上記突出部が挿通されると共に上記光軸を中心として所定角度にわたって連続するように設けられた貫通孔を有し、
上記保持手段は上記突出部の先端が当接されると共に上記光軸を中心とする円周方向に沿って連続的に傾斜する当接部を有し、加えて、
上記基部手段はその前方部側から後方部側に貫通する支点孔を有し、
一端が上記基部手段の前方部側に露出し他端が該基部手段の後方部側に露出するように上記支点孔に挿通される梃子手段をさらに具備し、
上記回動手段は上記梃子手段の一端側が挿入される挿入部を有し、
上記支点孔の周縁を支点として上記梃子手段の他端側を押圧することによって該梃子手段の一端側を上記挿入部の内面に圧接させる押圧手段をさらに具備し、
上記挿入部は上記回動手段の後方部に上記光軸を中心として湾曲するように形成された溝であり、
上記基部手段はその周縁から該基部手段の後方に向かって延伸する縁部を有し、
上記縁部は上記光軸に面する第１面と該第１面を挟んで該光軸とは反対側に面する第２面とを有すると共に該第１面と該第２面との間を貫通するように設けられたネジ孔を有し、
上記押圧手段は上記縁部の上記第２面側から上記第１面側に向けて上記ネジ孔に螺合されることによって上記梃子手段の他端側を押圧するネジであること、
を特徴とする、バックフォーカス調整機構。
【請求項２】
上記梃子手段は概略板状体である、請求項１に記載のバックフォーカス調整機構。
【請求項３】
上記基部手段は上記マウント手段の後方から装着される１以上の第１ネジによって固定される、請求項１または２に記載のバックフォーカス調整機構。
【請求項４】
上記保持手段は上記基部手段の後方から装着される１以上の第２ネジによって取り付けられる、請求項１ないし３のいずれかに記載のバックフォーカス調整機構。
【請求項５】
上記基部手段はプレス加工によって形成される、請求項１ないし４のいずれかに記載のバックフォーカス調整機構。
【請求項６】
上記回動手段は複数の上記突出部を有し、
上記基部手段は上記複数の突出部に対応する複数の上記貫通孔を有し、
上記保持手段は上記複数の突出部に対応する複数の上記当接部を有する、
請求項１ないし５のいずれかに記載のバックフォーカス調整機構。
【請求項７】
上記複数の突出部は上記光軸を中心とする円の円周方向に沿って設けられると共に該円に接しかつ上記光軸に平行な基準面を有し、
上記複数の当接部のそれぞれは対応する上記突出部の上記基準面に接触する部分を有する、
請求項６に記載のバックフォーカス調整機構。
【発明の詳細な説明】
【技術分野】
【０００１】
この発明は、バックフォーカス調整機構に関し、特に例えば、レンズのバックフォーカスに基づいて当該レンズから撮像素子までの距離を調整するバックフォーカス調整機構に関する。
【背景技術】
【０００２】
この種のバックフォーカス調整機構として、従来、例えば特許文献１に開示されたものがある。この従来技術によれば、基準部材としてのレンズ取付台座の前方に、リング状キャリアが設けられる。そして、このリング状キャリアの後方部には、レンズの光軸に沿って延伸するキャリアピンが設けられており、このキャリアピンは、レンズ取付台座の鍔部に設けられた孔を貫通している。さらに、リング状キャリアとレンズ取付台座との間には、キャリアピンを取り巻くようにコイルばねが設けられており、このコイルばねを圧縮するように、リング状キャリアのさらに前方からフォーカス調整リングがレンズ取付台座の雄ネジ部に螺合される。
【０００３】
一方、レンズ取付台座の後方においては、撮像素子が取り付けられた素子台座が、キャリアピンの先端に固定されている。また、レンズ取付台座の鍔部の後方部には、レンズの光軸に沿って延伸するガイドピンが設けられており、このガイドピンは、素子台座に設けられた孔に貫通されている。
【０００４】
この構成において、例えばフォーカス調整リングが回動されると、当該フォーカス調整リングおよびリング状キャリアが、光軸方向に移動する。そして、このリング状キャリアの移動に伴って、当該リング状キャリアにキャリアピンを介して固定された素子台座もまた、移動する。この結果、素子台座に取り付けられた撮像素子が、光軸方向に移動し、つまりバックフォーカス調整が実現される。また、この撮像素子を含む素子台座の移動に際しては、当該素子台座に設けられた孔と、この孔に貫通されたガイドピンと、による案内作用によって、撮像素子の中心とレンズの光軸とのずれが抑えられる。
【０００５】
【特許文献１】特開２０００−１８４２６２号公報
【発明の開示】
【発明が解決しようとする課題】
【０００６】
しかし、上述の従来技術では、コイルばね，リング状キャリアおよびフォーカス調整リングが、レンズ取付部材の前方から取り付けられる。一方、素子台座は、レンズ取付部材の後方から取り付けられる。また、上述のガイドピンも、当該レンズ取付部材の後方から取り付けられる。このように、従来技術では、レンズ取付部材の前方から取り付けられる部材と後方から取り付けられる部材とが混在するので、これらの組み立て作業に手間が掛かる。そして、この組み立て作業を含む製造コストが高騰する、という問題がある。
【０００７】
そこで、この発明は、従来よりも組み立て作業が容易なバックフォーカス調整機構を提供することを、目的とする。
【課題を解決するための手段】
【０００８】
かかる目的を達成するために、この発明は、レンズのバックフォーカスに基づいて当該レンズから撮像素子までの距離を調整するバックフォーカス調整機構において、レンズが前方部に固定されるマウント手段と、このマウント手段の後方部に固定される基部手段と、レンズの光軸上に撮像素子が位置するように当該撮像素子を保持すると共に当該光軸に沿う方向に移動可能な状態に基部手段の後方部に取り付けられる保持手段と、を具備する。そして、基部手段は、マウント手段の後方から固定され、保持手段は、基部手段の後方から取り付けられること、を特徴とするものである。
【０００９】
即ち、この発明では、マウント手段が言わば基準となって、当該マウント手段の後方部に基部手段が固定され、この基部手段の後方部に保持手段が取り付けられる。そして、特に、基部手段は、マウント手段の後方から固定され、保持手段は、基部手段の後方から取り付けられる。つまり、基部手段および保持手段は、基準となるマウント手段の後方からのみ取り付けられる。
【００１０】
なお、基部手段は、マウント手段の後方から装着される１以上の第１ネジによって固定されてもよい。
【００１１】
また、保持手段は、基部手段の後方から装着される１以上の第２ネジによって取り付けられてもよい。
【００１２】
そして、基部手段は、プレス加工によって形成することができる。このようにすれば、例えば基部手段をダイカスト法等の成型によって形成する場合に比べて、基部手段を低コスト化することができる。
【００１３】
さらに、マウント手段と基部手段との間に介在すると共にレンズの光軸を中心として回動可能な回動手段と、保持手段を基部手段に向けて付勢する付勢手段と、を備えてもよい。この場合、回動手段は、その後方部からレンズの光軸に沿う方向に突出する突出部を有し、基部手段は、その前方部側から後方部側に当該突出部が挿通される貫通孔を有するものとする。なお、貫通孔は、光軸を中心として所定角度にわたって連続するように設けられる。さらに、保持手段は、当該突出部の先端が当接されると共に、光軸を中心とする円周方向に沿って連続的に傾斜する当接部を有するものとする。
【００１４】
この構成によれば、回動手段の後方部に設けられた突出部の先端は、基部手段に設けられた貫通孔を介して、保持手段に設けられた当接部に当接する。また、保持手段は、付勢手段によって、基部手段に向けて付勢される。従って、保持手段は、突出部の先端と付勢手段による付勢力とによって、支持される。ここで、回動手段が、レンズの光軸を中心として回動されると、これに伴って、突出部も、当該光軸を中心として回動する。すると、この突出部の先端による当接部への当接位置が変わる。この当接部は、上述の如く光軸を中心とする円周方向に沿って連続的に傾斜しているので、当該当接部に対する突出部先端の当接位置が変わることによって、この当接部を含む保持手段が、光軸方向に移動する。つまり、突出部を含む回動手段と当接部とによって、当該突出部の先端を原節とし、当接部を従節とする、一種のカム機構が形成される。そして、このカム機構と付勢手段とによって、保持手段を光軸方向に移動させるための移動手段が形成される。なお、基部手段に設けられた貫通孔は、回動手段の回動角度を制限するための言わば制限手段として機能する。
【００１５】
さらに、この構成においては、回動手段は、複数の突出部を有するのが、望ましい。そして、この場合、当該突出部の数に合わせて、基部手段は複数の貫通孔を有し、保持手段は複数の当接部を有するものとする。このように、複数の突出部，貫通孔および当接部を設けることによって、例えばこれらが１つずつの場合に比べて、安定して（スムーズに）保持手段を移動させることができる。また、各突出部を各貫通孔に挿通させる際に、光軸を基準として、換言すれば各突出部の並びの中心または各貫通孔の並びに中心を基準として、その作業を行うことができる。従って、作業性が向上する。このことは、各突出部の先端を保持手段の各当接部に当接させる場合も、同様である。
【００１６】
また、各突出部は、光軸を中心とする円の円周方向に沿って設けられると共に、この円に接しかつ光軸に平行な基準面を有するようにする。そして、これらの突出部が当接される保持手段側の各当接部は、当該基準面に接触する部分を有するようにする。このようにすれば、回動手段に対する保持手段の位置決めが精確に成され、ひいては、光軸に対する撮像素子の位置決めが精確に成される。つまり、これら各突出部と各当接部とが、位置決め手段として機能する。
【００１７】
そして、この発明では、基部手段に、その前方部側から後方部側に貫通する支点孔を、設けてもよい。そして、この支点孔に挿通される梃子手段を、さらに設ける。この梃子手段は、その一端が基部手段の前方に露出し、他端が基部手段の後方に露出するように、当該支点孔に挿通される。そして、回動手段には、この梃子手段の一端側が挿入される挿入部を設ける。さらに、支点孔を支点として、梃子手段の他端側を押圧する押圧手段を、設ける。
【００１８】
この構成によれば、梃子手段の他端側が押圧手段によって押圧されると、当該梃子手段の一端側が、回動手段に設けられた挿入部の内面に圧接される。これによって、回動手段の回動動作が妨げられ、換言すれば回動手段が固定される。つまり、支点孔，梃子手段および挿入部によって、回動手段を固定するための固定手段が、形成される。
【００１９】
なお、梃子手段は、例えば概略板状体という極めて簡素かつ安価な部材によって形成することができる。
【発明の効果】
【００２０】
この発明によれば、マウント手段が基準となり、これ以外の構成要素である基部手段および保持手段は、いずれも当該マウント手段の後方から取り付けられる。従って、基準部材としてのレンズ取付部材の前方および後方の両方から何らかの部材を取り付ける必要のある上述の従来技術に比べて、機構全体の組み立て作業が非常に簡単であり、製造コストも低減される。
【発明を実施するための最良の形態】
【００２１】
この発明の一実施形態について、図１〜図７参照して説明する。
【００２２】
この実施形態に係るバックフォーカス調整機構１０は、例えば箱型の監視カメラに適用されるものであり、図１に示すように、レンズマウント（以下、単にマウントと言う。）１２，フォーカスリング１４，フロントパネル１６，ホルダ１８およびプリント配線板２０を、備えている。なお、図１において、マウント１２が記載されている方向が、監視カメラの前方に相当する。そして、マウント１２の前方に、図示しないレンズが装着される。また、同図の一点鎖線２２は、当該レンズの光軸を示す。さらに、図には示さないが、プリント配線板２０の前方側の面には、例えばＣＣＤ（Charge Coupled Device）型の撮像素子が、搭載されている。勿論、この撮像素子は、ＣＣＤ型に限らず、ＣＭＯＳ（Complimentary Metal Oxide Semiconductor）型等の他のタイプのものであってもよい。
【００２３】
マウント１２は、例えばアルミニウム合金製であり、図２にも示すように、概略リング状のものである。より詳しく説明すると、このマウント１２の中央には、当該マウント１２の前方部（正面）側から後方部（背面）側に貫通する円形の貫通孔２８が設けられている。そして、この貫通孔２８の内面には、雌ネジ３０が形成されており、この雌ネジ３０にレンズ側の雄ネジが螺合される。かかる雌ネジ３０を含むマウント１２は、例えばＮＣ（Numerical Control）旋盤による切削加工によって形成される。また、マウント１２の前方部および後方部は、いずれも平坦であり、このうちの後方部に、複数、例えば３つのネジ孔３２，３２，…が、当該マウント１２の中央（光軸２２）を中心として等間隔に設けられている。さらに、このマウント１２の後方部側には、前方部側よりも外径が小さい段差部３４が、形成されている。
【００２４】
フォーカスリング１４は、例えばＡＢＳ（Acrylonitrile Butadiene
Styrene）樹脂の成型品であり、図３にも示すように、概略円板状のものである。そして、このフォーカスリング１４の中央には、その前方部側から後方部側に貫通する円形の貫通孔４０が、設けられている。なお、この貫通孔４０の直径（内径）は、上述したマウント１２の段差部３４の直径（外径）よりも僅かに大きい。そして、後述するように、この貫通孔４０に当該段差部３４が嵌合される。
【００２５】
また、フォーカスリング１４の外周４２には、滑り止め用のローレットが、形成されている。さらに、フォーカスリング１４の後方部には、当該フォーカスリング１４の周縁に沿って湾曲した、換言すればフォーカスリング１４の中央（光軸２２）を中心として湾曲した、細長い溝４４，４４，…が、設けられている。なお、これらの溝４４，４４，…は、樹脂成型品においてよく見られるものであり、即ち樹脂成型時の変形を防止するためにフォーカスリング１４の肉厚を略一定に揃えた結果、言わば必然的に形成されたものである。なお、各溝４４，４４，…のうちの１つは、他のものに比べて長い。そして、この長い溝４４は、後述するようにフォーカスリング１４を固定するのに用いられる。
【００２６】
そしてさらに、上述の溝４４，４４，…よりも内側には、後方に向かって数［ｍｍ］ほど突出した複数、例えば３つの押圧用突条４６，４６，…が、設けられている。より具体的には、各押圧用突条４６，４６，…は、フォーカスリング１２の中央を中心とする円上に等間隔に設けられており、当該円に沿って湾曲している。そして、特に、各押圧用突条４６，４６，…の外側面は、後述するように、ホルダ１８の位置決めを行うための基準面となる。このため、当該各押圧用突条４６，４６，…の外側面からフォーカスリング１２の中央までの距離は、精確に揃えられている。なお、これらの押圧用突条４６，４６，…は、ホルダ１８に設けられた後述する３つの傾斜溝４８，４８，…と共にカム機構を形成するものであり、それぞれの先端部分は、当該傾斜溝４８，４８，…の底面の傾斜角度に合わせて斜めに形成されている。また、各押圧用突条４６，４６，…の肉厚は、各傾斜溝４８，４８，…の幅寸法よりも若干小さい。そして、これら押圧用突条４８，４８，…の上述した基準面（外側面）が各傾斜溝４８，４８，…の内面に接触し（厳密には若干のクリアランスがある）、これによって、フォーカスリング１２に対しホルダ１８が位置決めされる。
【００２７】
フロントパネル１６は、例えばアルミニウム合金製であり、図４にも示すように、概略長方形板状の基部５０と、この基部５０の各辺から後方に向かって数［ｍｍ］ほど個別に延伸する４つの縁（へり）部５２，５２，…とを、有している。かかるフロントパネル１６は、例えばプレス加工によって形成される。
【００２８】
そして、このフロントパネル１６の基部５０の中央には、その前方部側から後方部側に貫通する概略円形の貫通孔５８が、設けられている。なお、この貫通孔５８の直径は、上述したマウント１２の貫通孔２８の直径と略同等である（厳密には貫通孔５８の方が貫通孔２８よりも少し大きい）。さらに、この貫通孔５８の外側（中心から遠い側）には、マウント１２の上述したネジ孔３２，３２，…に対応する３つのネジ挿通孔６０，６０，…が、設けられている。
【００２９】
そしてさらに、各貫通孔６０，６０，…の外側に、３つの円弧状の貫通孔６２，６２，…が、穿設されている。そして、これらの貫通孔６２，６２，…に、上述したフォーカスリング１４の押圧用突条４６，４６，…が挿通される。
【００３０】
また、各貫通孔６２，６２，…は、フォーカスリング１６の回動範囲を制限する制限手段としても、機能する。即ち、後述するように、フォーカスリング１４は、光軸２２を中心として回動可能とされている。そして、このフォーカスリング１４の回動に伴って、押圧用突条４６，４６，…も回動する。ここで、当該押圧用突条４６，４６，…は、上述の如く貫通孔６２，６２，…に挿通される。従って、押圧用突条４６，４６，…の回動範囲、つまりフォーカスリング１６の回動範囲は、貫通孔６２，６２，…の円弧長によって決まる。なお、この貫通孔６２，６２，…の円弧長は、当該回動範囲が約６０度になるように、設定されている。
【００３１】
さらに、フロントパネル１６の基部５０には、支点孔としての上述とは別の貫通孔６４が、設けられている。この支点孔６４は、当該基部５０の一短辺に接するように設けられており、前方側（または後方側）から見ると、短辺側が広く、内側が狭い、という概略凸状の形状をしている。そして、この支点孔６４には、図５にも示す梃子手段としてのストッパ６６が挿通される。
【００３２】
ストッパ６６は、プレス加工によって形成された概略長方形板状のものであり、その両短辺には、矩形の切欠部６８および６８が、設けられている。そして、ストッパ６６は、その長辺側において、湾曲している。なお、この湾曲度合（曲率半径）は、上述したフォーカスリング１４の溝（一番長い溝）４４の湾曲度合に合わせられている。そして、このストッパ６６は、湾曲している内側面をフロントパネル１６の基部５０の内側に向け、かつ切欠部６８および６８を支点孔６４の狭い部分（凸状の先端に対応する部分）に係止させた状態で、当該支点孔６４に挿通される。さらに、このように支点孔６４に挿通されたストッパ６６の外側面は、フロントパネル１６（基部５０）の後方において、押圧手段としてのネジ７０（例えば図１参照）によって押圧される。このため、支点孔６４側に位置する縁部５２には、当該ネジ７０が螺合されるネジ孔７２が、設けられている。このネジ７０を含むストッパ６６の作用については、また後で詳しく説明する。
【００３３】
さらに、フロントパネル１６の基部５０には、後方に向かって１０［ｍｍ］ほど真っ直ぐに延伸する２本の円柱状の案内ピン７４および７４が、設けられている。この案内ピン７４，７４，…は、基部５０の１対角線上の両隅近傍に設けられており、当該基部５０に対して例えば溶接されている。そして、それぞれの案内ピン７４の先端部分には、当該案内ピン７４の延伸方向に沿って、ネジ孔７６が、設けられている。
【００３４】
ホルダ１８は、例えばガラス繊維入りのポリカーボネイトを素材とする成型品であり、図６にも示すように、概略円板状の本体部７８を有している。そして、この本体部７８の前方部に、上述した３つの傾斜溝４８，４８，…が、設けられている。具体的には、各傾斜溝４８，４８，…は、本体部７８の周縁に沿って円弧状に延伸するように、設けられている。なお、各傾斜溝４８，４８，の円弧長は、上述したフォーカスリング１４が回動することによる各押圧用突条４６，４６，…の移動量に応じた長さ寸法（光軸２２を中心として約６０度相当）とされている。また、それぞれの傾斜溝４８の底面は、当該傾斜溝４８の延伸方向に沿って徐々に傾斜している。換言すれば、傾斜溝４８の延伸方向に沿って、当該傾斜溝４８の深さ寸法が徐々に変化している。さらに、各傾斜溝４８，４８，…の内面のうち、外側（本体部７８の中央から遠い側）に位置する内面は、各押圧用突条４６，４６，…の上述した基準面（外側面）に接触するように形成されている。このため、当該各傾斜溝４８，４８，…の内面（外側に位置する内面）から本体部７８の中央までの距離は、精確に揃えられている。
【００３５】
そしてさらに、本体部７８の中央には、当該本体部７８の前方部側から後方部側に貫通する概略矩形の窓８４が、設けられている。そして、本体部７８の後方部には、当該窓８４の周囲を取り囲むように、撮像素子を収容するための概略箱状の素子収容部８６が、設けられている。そして、この素子収容部８６の左右の適宜箇所には、上述したプリント配線板２０を固定するための２つのネジ孔８８および８８が設けられている。一方のプリント配線板２０にも、図１に示すように、これら２つのネジ孔８８および８８に対応する２つのネジ挿通孔９０および９０が、設けられている。
【００３６】
また、素子収容部８６のネジ孔８８および８８の近傍には、位置決め用の２つの突起９２および９２が、設けられている。そして、プリント配線板２０には、これらの突起９２および９２に対応する２つの貫通孔９４および９４が、設けられている。
【００３７】
そしてさらに、本体部７８の周縁であって、当該本体部７８の中心を挟んで互いに対向する位置に、当該周縁から外側（半径方向）に向かって言わば耳状に出張った２つのフランジ９６および９６が、設けられている。そして、それぞれのフランジ９６には、前方部側から後方部側に貫通する円形のピン挿通孔９８が、設けられている。なお、後述するように、このピン挿通孔９８には、上述した案内ピン７４が挿通される。
【００３８】
さて、これらマウント１２，フォーカスリング１４，フロントパネル１６，ホルダ１８およびプリント配線板２０を備えるこの実施形態のバックフォーカス調整機構１０は、次のような手順で組み立てられる。なお、この組み立て時には、例えばマウント１２の前方部側を下にして、当該マウント１２を作業台等の平坦な場所に置き、この状態で作業を進めると、勝手が良い。
【００３９】
図１および図７を参照して、まず、マウント１２の段差部３４に対して、フォーカスリング１４の貫通孔４０が嵌合される。そして、フォーカスリング１４の後方から、フロントパネル１６が取り付けられる。このとき、当該フロントパネル１６の貫通孔６２，６２，…に、フォーカスリング１４の押圧用突条４６，４６，…が挿通される。そして、フロントパネル１６の後方から、当該フロントパネル１６に設けられたネジ挿通孔６０，６０，…を介して、３本のネジ１００，１００，…が、マウント１２の後方部に設けられたネジ孔３２，３２，…にそれぞれ強固に螺着される。これによって、フォーカスリング１４を間に挟んで、マウント１２にフロントパネル１６が固定される。
【００４０】
さらに、フロントパネル１６の後方から、ホルダ１８が取り付けられる。このとき、ホルダ１８のフランジ９６および９６に設けられたピン挿通孔９８および９８に、フロントパネル１６に設けられた案内ピン７４および７４が挿通される。そしてさらに、この案内ピン７４および７４の周囲を取り巻くように、当該案内ピン７４および７４のそれぞれに、圧縮コイルバネ１０２が装着される。なお、この圧縮コイルバネ１０２の直径（外径）は、ピン挿通孔９８の直径よりも大きい。従って、圧縮コイルバネ１０２がピン挿通孔９８を挿通することはない。
【００４１】
そして、圧縮コイルバネ１０２を後方から圧縮するように、それぞれの案内ピン７４の先端部分に設けられたネジ孔７６に、当該圧縮コイルバネ１０２の直径よりも大きい頭部を有するネジ１０４が、螺着される。これにより、ホルダ１８は、圧縮コイルバネ１０２の反発力によって、フロントパネル１６側に向かって付勢される。また、このとき、フォーカスリング１４の押圧用突条４６，４６，…の先端が、フロントパネル１６の貫通孔６２，６２，を介して、ホルダ１８の傾斜溝４８，４８，…の底面に当接する。従って、ホルダ１８は、押圧用突条４６，４６，…の先端と圧縮コイルバネ１０２による付勢力とによって、支持された状態になる。さらに、押圧用突条４６，４６，…の基準面が傾斜溝４８，４８，…の内面に接触する。これによって、フォーカスリング１４に対してホルダ１８が精確に位置決めされ、ひいては光軸２２に対して撮像素子が精確に位置決めされる。
【００４２】
そして、ホルダ１８の素子収容部８６内に、その後方から赤外線遮断フィルタ等の所定の光学フィルタ１０６、および緩衝手段としてのスポンジ製の中空緩衝剤１０８が、この順番ではめ込まれる。そしてさらに、当該素子収容部８６内を覆うように、プリント配線板２０が取り付けられる。このとき、素子収容部６８に設けられた突起９２および９２を、プリント配線板２０に設けられた貫通孔９４および９４に挿入させることで、当該素子収容部６８に対するプリント配線板２０の位置決めが成される。そして、かかるプリント配線板２０の後方から、当該プリント配線板２０に設けられたネジ挿通孔９０および９０を介して、２つのネジ１１０および１１０が、素子収容部８６に設けられたネジ孔８８および８８に螺着される。
【００４３】
なお、これらの組み立てに先立って、フロントパネル１６の上述した支点孔６４に、ストッパ６６が挿通される。そして、このストッパ６６は、ネジ７０によって、比較的軽度に当該フロントパネル１６の内側に向かって押圧され、支点孔６４に係止された状態とされる。そして、この状態で、上述の手順に従ってバックフォーカス調整機構１０が組み立てられる。
【００４４】
この組み立て後、例えば、フォーカスリング１４が回動されると、これに伴って、当該フォーカスリング１４に設けられた押圧用突条４６，４６，…もまた回動する。そして、これら押圧用突条４６，４６，…の先端部分によるホルダ１８の傾斜溝４８，４８，…に対する当接位置が変わり、これによって、ホルダ１８が光軸２２に沿う方向に移動する。つまり、押圧用突条４６，４６，…を原節とし、傾斜溝４８，４８，…を従節とする、カム機構が形成される。そして、このようにフォーカスリング１４の回動によってホルダ１８が移動されることで、バックフォーカス調整が行われる。
【００４５】
また、このとき、ホルダ１８は、そのフランジ９６および９６に設けられたピン挿通孔９８および９８に、フロントパネル１６に設けられた案内ピン７４および７４を挿通させた状態で、移動する。換言すれば、ホルダ１８の移動方向が、これらピン挿通孔９８および９８と案内ピン７４および７４とによって案内される。つまり、当該ピン挿通孔９８および９８と案内ピン７４および７４とは、ホルダ１８の移動方向を案内する案内手段として機能する。
【００４６】
そして、バックフォーカス調整の終了後、上述したネジ７０によってストッパ６６が内側に押圧される。すると、このネジ７０によるストッパ６６の押圧部分を力点とし、支点孔６４の周縁を支点とする梃子の原理によって、当該支点を挟んで力点とは反対側、つまりフロントパネル１６（基部５０）の前方側に露出した部分が、作用点となって、外側に向かう。そして、この作用点となる部分は、上述したフォーカスリング１４の溝（一番長い溝）４４に挿入されているので、この溝４４の内面が、当該作用点となる部分によって圧接される。この結果、フォーカスリング１４が固定される。
【００４７】
以上のように、この実施形態のバックフォーカス調整機構１０によれば、マウント１２を基準として、このマウント１２の後方から、フォーカスリング１４，フロントパネル１６，ホルダ１８およびプリント配線板２０が、取り付けられる。そして、マウント１２にフロントパネル１６を固定するためのネジ１００，１００，…，フロントパネル１６に圧縮コイルバネ１０２および１０２を介してホルダ１８を取り付けるためのネジ１０４および１０４，ホルダ１８にプリント配線板２０を固定するためのネジ１１０および１１０もまた、後方から螺着される。従って、基準部材としてのレンズ取付部材の前方および後方の両方から何らかの部材を取り付ける必要のある上述した従来技術に比べて、バックフォーカス調整機構１０全体の組み立て作業が容易であり、製造コストも低減される。
【００４８】
また、上述の従来技術を含め、これまでのバックフォーカス調整機構では、マウントと基部手段とが一体に形成されているので、当該基部手段として比較的に高い強度が要求される。このため、当該マウントを含む基部手段は、ダイカスト法等による成型品とされており、その分、高コストとなる。これに対して、この実施形態では、マウント１２と、基部手段としてのフロントパネル１６とが、互いに別個の構成とされているので、当該フロントパネル１６には、これまでのような高い強度は要求されず、例えばプレス加工品でも十分に対応することができる。そして、このようにフロントパネル１６をプレス加工品とすることで、当該フロントパネル１６を含むバックフォーカス調整機構１０全体のコストを低減することができる。
【００４９】
なお、この実施形態では、フロントパネル１６にホルダ１８を取り付けた後に、当該ホルダ１８にプリント配線板２０を固定することとしたが、これに限らない。即ち、先にホルダ１８にプリント配線板２０を固定しておいて、これをフロントパネル１６に取り付けてもよい。
【００５１】
この実施形態で説明した内容は、飽くまでこの発明を実現するための一例であり、この発明を限定するものではない。
【図面の簡単な説明】
【００５２】
【図１】この発明の一実施形態の組立要領を示す図解図である。
【図２】同実施形態におけるマウントの構造を示す図である。
【図３】同実施形態におけるフォーカスリングの構造を示す図である。
【図４】同実施形態におけるフロントパネルの構造を示す図である。
【図５】同実施形態におけストッパの構造を示す図である。
【図６】同実施形態におけるホルダの構造を示す図である。
【図７】同実施形態の組立完成後の構造を示す図である。
【符号の説明】
【００５３】
１０  バックフォーカス調整機構
１２  マウント
１４  フォーカスリング
１６  フロントパネル
１８  ホルダ
２０  プリント配線板
１００，１０４，１１０  ネジ
【図１】
0004537299.tif 000002
【図２】
0004537299.tif 000003
【図３】
0004537299.tif 000004
【図４】
0004537299.tif 000005
【図５】
0004537299.tif 000006
【図６】
0004537299.tif 000007
【図７】
0004537299.tif 000008